【手続補正書】
【提出日】平成19年7月19日(2007.7.19)
【手続補正１】
【補正対象書類名】特許請求の範囲
【補正対象項目名】全文
【補正方法】変更
【補正の内容】
【特許請求の範囲】
【請求項１】
記録媒体テープを所定の給送速度で給送する給送手段と、
前記給送される記録媒体テープの始端又は終端の少なくとも一方に具備されたリーダテープ部分を検出する検出手段と、
前記リーダテープ部分内の所定の位置で前記給送手段を停止制御する制御手段とを備えるテープ給送装置であって、
前記制御手段は、給送される前記記録媒体テープの前記リーダテープ部分を検出したときは、前記給送速度を低い給送速度に切り換えた上で停止制御を行い、前記停止制御を行う度に停止するタイミングを所定の間隔で遅らせる手段を備えることを特徴とするテープ給送装置。
【請求項２】
記録媒体テープを所定の給送速度で給送する給送手段と、
前記給送される記録媒体テープ上で所定の識別信号が記録された部分を検出する検出手段と、
前記識別信号が記録された部分内の所定の位置で前記給送手段を停止制御する制御手段とを備えるテープ給送装置であって、
前記制御手段は、給送される記録媒体テープの前記識別信号が記録された部分を検出したときには、前記給送速度を低い給送速度に切り換えた上で停止制御を行い、前記停止制御を行う度に停止するタイミングを所定の間隔で遅らせる手段を備えることを特徴とするテープ給送装置。
【請求項３】
記録媒体テープを所定の給送速度で給送する給送手段と、
前記給送される記録媒体テープの始端又は終端の少なくとも一方に具備されたリーダテープ部分を検出する検出手段とを備えるテープ給送装置の制御方法であって、
前記リーダテープ部分内の所定の位置で前記給送手段を停止制御する制御ステップと、
給送される前記記録媒体テープの前記リーダテープ部分を検出したときは、前記給送速度を低い給送速度に切り換えた上で停止制御を行い、前記停止制御を行う度に停止するタイミングを所定の間隔で遅らせるステップを備えることを特徴とする制御方法。
【請求項４】
記録媒体テープを所定の給送速度で給送する給送手段と、
前記給送される記録媒体テープ上で所定の識別信号が記録された部分を検出する検出手段とを備えるテープ給送装置の制御方法であって、
前記識別信号が記録された部分内の所定の位置で前記給送手段を停止制御する制御ステップと、
給送される前記記録媒体テープの前記識別信号が記録された部分を検出したときは、前記給送速度を低い給送速度に切り換えた上で停止制御を行い、前記停止制御を行う度に停止するタイミングを所定の間隔で遅らせるステップを備えることを特徴とする制御方法。
【手続補正２】
【補正対象書類名】明細書
【補正対象項目名】発明の名称
【補正方法】変更
【補正の内容】
【発明の名称】テープ給送装置及びその制御方法
【手続補正３】
【補正対象書類名】明細書
【補正対象項目名】０００１
【補正方法】変更
【補正の内容】
【０００１】
本発明は、テープ給送装置及びその制御方法に関する。
【手続補正４】
【補正対象書類名】明細書
【補正対象項目名】０００３
【補正方法】変更
【補正の内容】
【０００３】
テープ給送装置は、また、磁気テープに光を照射する発光台と、巻き取り側リール側において磁気テープの始端を検出する始端検出光センサと、供給側リール側において磁気テープの終端を検出する終端検出光センサと、キャプスタンモータ軸の回転に伴って発生するパルス信号（以下「ＣＦＧ（Ｃａｐｓｔａｎ  Ｆｒｅｑｕｅｎｃｙ  Ｇｅｎｅｒａｔｏｒ）」という）の検出及び波形成形を行うＣＦＧ検出部と、テープ給送要求部と、ＣＦＧ検出部の出力に基づいてキャプスタンモータ軸の回転状態を監視しつつ、始端検出センサ及び終端検出センサの検出情報並びにテープ給送要求部の出力に基づいてキャプスタンモータ軸の回転制御及び停止制御を行うキャプスタンモータ制御部とを備える。
【手続補正５】
【補正対象書類名】明細書
【補正対象項目名】００２１
【補正方法】変更
【補正の内容】
【００２１】
本発明の目的は、テープの表面劣化によって発生するテープの張り付きを軽減することのできるテープ給送装置及びその制御方法を提供することにある。
【手続補正６】
【補正対象書類名】明細書
【補正対象項目名】００２２
【補正方法】変更
【補正の内容】
【００２２】
上記目的を達成するために、請求項１記載のテープ給送装置は、記録媒体テープを所定の給送速度で給送する給送手段と、前記給送される記録媒体テープの始端又は終端の少なくとも一方に具備されたリーダテープ部分を検出する検出手段と、前記リーダテープ部分内の所定の位置で前記給送手段を停止制御する制御手段とを備えるテープ給送装置であって、前記制御手段は、給送される前記記録媒体テープの前記リーダテープ部分を検出したときは、前記給送速度を低い給送速度に切り換えた上で停止制御を行い、前記停止制御を行う度に停止するタイミングを所定の間隔で遅らせる手段を備えることを特徴とする。
【手続補正７】
【補正対象書類名】明細書
【補正対象項目名】００２３
【補正方法】変更
【補正の内容】
【００２３】
上記目的を達成するために、請求項２記載のテープ給送装置は、記録媒体テープを所定の給送速度で給送する給送手段と、前記給送される記録媒体テープ上で所定の識別信号が記録された部分を検出する検出手段と、前記識別信号が記録された部分内の所定の位置で前記給送手段を停止制御する制御手段とを備えるテープ給送装置であって、前記制御手段は、給送される記録媒体テープの前記識別信号が記録された部分を検出したときには、前記給送速度を低い給送速度に切り換えた上で停止制御を行い、前記停止制御を行う度に停止するタイミングを所定の間隔で遅らせる手段を備えることを特徴とする。
【手続補正８】
【補正対象書類名】明細書
【補正対象項目名】００２４
【補正方法】変更
【補正の内容】
【００２４】
上記目的を達成するために、請求項３記載の制御方法は、記録媒体テープを所定の給送速度で給送する給送手段と、前記給送される記録媒体テープの始端又は終端の少なくとも一方に具備されたリーダテープ部分を検出する検出手段とを備えるテープ給送装置の制御方法であって、前記リーダテープ部分内の所定の位置で前記給送手段を停止制御する制御ステップと、給送される前記記録媒体テープの前記リーダテープ部分を検出したときは、前記給送速度を低い給送速度に切り換えた上で停止制御を行い、前記停止制御を行う度に停止するタイミングを所定の間隔で遅らせるステップを備えることを特徴とする。
【手続補正９】
【補正対象書類名】明細書
【補正対象項目名】００２５
【補正方法】変更
【補正の内容】
【００２５】
上記目的を達成するために、請求項４記載の制御方法は、記録媒体テープを所定の給送速度で給送する給送手段と、前記給送される記録媒体テープ上で所定の識別信号が記録された部分を検出する検出手段とを備えるテープ給送装置の制御方法であって、前記識別信号が記録された部分内の所定の位置で前記給送手段を停止制御する制御ステップと、給送される前記記録媒体テープの前記識別信号が記録された部分を検出したときは、前記給送速度を低い給送速度に切り換えた上で停止制御を行い、前記停止制御を行う度に停止するタイミングを所定の間隔で遅らせるステップを備えることを特徴とする。
【手続補正１０】
【補正対象書類名】明細書
【補正対象項目名】００２６
【補正方法】削除
【補正の内容】
【手続補正１１】
【補正対象書類名】明細書
【補正対象項目名】００２７
【補正方法】削除
【補正の内容】
【手続補正１２】
【補正対象書類名】明細書
【補正対象項目名】００２８
【補正方法】削除
【補正の内容】
【手続補正１３】
【補正対象書類名】明細書
【補正対象項目名】００２９
【補正方法】削除
【補正の内容】
【手続補正１４】
【補正対象書類名】明細書
【補正対象項目名】００３０
【補正方法】削除
【補正の内容】
【手続補正１５】
【補正対象書類名】明細書
【補正対象項目名】００３１
【補正方法】削除
【補正の内容】
【手続補正１６】
【補正対象書類名】明細書
【補正対象項目名】００３２
【補正方法】削除
【補正の内容】
【手続補正１７】
【補正対象書類名】明細書
【補正対象項目名】００３３
【補正方法】削除
【補正の内容】
【手続補正１８】
【補正対象書類名】明細書
【補正対象項目名】００３４
【補正方法】変更
【補正の内容】
【００３４】
請求項１記載のテープ給送装置及び請求項３記載の制御方法によれば、給送されるテープの所定範囲部分が所定の位置で停止するようなタイミングで停止制御し、停止制御を行うたびにタイミングを変更するので、所定の範囲部分内においてテープ給送の起動及び停止位置が分散し、もってテープの表面劣化によって発生するテープの張り付きを軽減することができる。
また、停止制御を行う度にタイミングを遅らせるので、テープ給送の起動及び停止位置が確実に分散し、もってテープの表面劣化によって発生するテープの張り付きをより軽減することができる。
さらに、給送されるテープの所定範囲部分を検出したときは、所定の給送速度を低い給送速度に切り換えた上で停止制御を行うので、テープ給送の起動及び停止制御を精度よく実行することができる。
この所定範囲部分は、給送されるテープの始端及び終端の少なくとも一方を検出するために用いられるリーダテープ部であるので、テープの始端及び終端の少なくとも一方においてテープ給送の起動又は停止位置が確実に分散し、もってテープの表面劣化によって発生するテープの張り付きをより軽減することができる。
【手続補正１９】
【補正対象書類名】明細書
【補正対象項目名】００３５
【補正方法】変更
【補正の内容】
【００３５】
請求項２記載のテープ給送装置及び請求項４記載の制御方法によれば、給送されるテープの所定範囲部分が所定の位置で停止するようなタイミングで停止制御し、停止制御を行うたびにタイミングを変更するので、所定の範囲部分内においてテープ給送の起動及び停止位置が分散し、もってテープの表面劣化によって発生するテープの張り付きを軽減することができる。
また、停止制御を行う度にタイミングを遅らせるので、テープ給送の起動及び停止位置が確実に分散し、もってテープの表面劣化によって発生するテープの張り付きをより軽減することができる。
さらに、給送されるテープの所定範囲部分を検出したときは、所定の給送速度を低い給送速度に切り換えた上で停止制御を行うので、テープ給送の起動及び停止制御を精度よく実行することができる。
この所定範囲部分は、給送されるテープ上で所定の識別信号が記録された部分であるので、所定の識別信号が記録された部分においてテープ給送の起動及び停止位置が確実に分散し、もってテープの表面劣化によって発生するテープの張り付きをより軽減することができる。
【手続補正２０】
【補正対象書類名】明細書
【補正対象項目名】００３６
【補正方法】削除
【補正の内容】
【手続補正２１】
【補正対象書類名】明細書
【補正対象項目名】００３７
【補正方法】削除
【補正の内容】
【手続補正２２】
【補正対象書類名】明細書
【補正対象項目名】００３８
【補正方法】削除
【補正の内容】
【手続補正２３】
【補正対象書類名】明細書
【補正対象項目名】００４２
【補正方法】変更
【補正の内容】
【００４２】
テープ給送装置１００は、また、磁気テープ１０１に光を照射する発光台１１０と、巻き取り側リール１０７側において磁気テープ１０１の始端を検出する始端検出光センサ１１１（検出手段）と、供給側リール１０２側において磁気テープ１０１の終端を検出する終端検出光センサ１１２（検出手段）と、キャプスタンモータ軸１０８の回転に伴って発生するパルス信号（以下「ＣＦＧ（Ｃａｐｓｔａｎ  Ｆｒｅｑｕｅｎｃｙ  Ｇｅｎｅｒａｔｏｒ）」という）の検出及び波形成形を行うＣＦＧ検出部１１３と、テープ送給要求部１１４と、ＣＦＧ検出部１１３の出力に基づいてキャプスタンモータ軸１０８の回転状態を監視しつつ、始端検出センサ１１１及び終端検出センサ１１２の検出情報並びにテープ給送要求部１１４の出力に基づいてキャプスタン１０８の回転制御及び停止制御を行うキャプスタンモータ制御部１１５（制御手段）とを備える。
【手続補正２４】
【補正対象書類名】明細書
【補正対象項目名】００４７
【補正方法】変更
【補正の内容】
【００４７】
図２において、テープ終端処理ブロックは、タイミングｔ１（図３）において、テープ給送要求部１１４からテープ正方向高速給送要求を受け、キャプスタンモータ軸１０８をｘ９倍速回転制御すると共にテープ終端処理を開始し、終端検出カウンタに時間ΔｔａをＣＦＧカウント数に換算した値ΔＴａを代入する（ステップＳ２０１）。
【手続補正２５】
【補正対象書類名】図面
【補正対象項目名】図３
【補正方法】変更
【補正の内容】
【図３】
2006040349.tif 000001